(57)【要約】【課題】本発明は、廃液処理槽内の廃液の浄化処理を効果的に行うことができると共に省スペース化を図った廃液処理装置を提供する。【解決手段】本発明の廃液処理装置Ａは、上端が開口している廃液処理槽１と、この廃液処理槽１に廃液Ｗを供給する供給管２と、上記廃液処理槽１内で微生物の存在下にて浄化処理された処理液を廃液処理槽１外に排出する排出管３とからなる廃液処理装置であって、上記廃液処理槽１の上記上端開口部１６には、上記廃液処理槽１内の微生物に空気を供給するためのポンプＰが着脱自在に配設されているので、ポンプＰの配設スペースを別途、設ける必要はなく廃液処理装置の省スペース化を図ることができると共に、廃液処理槽１の保守点検時にはポンプＰを廃液処理槽１の上端開口部１６から除去して廃液処理槽１の保守点検を円滑に行うことができる。【選択図】    図１
2004358413.tif 000002
【特許請求の範囲】
【請求項１】
上端が開口している廃液処理槽と、この廃液処理槽に廃液を供給する供給管と、上記廃液処理槽内で微生物の存在下にて浄化処理された処理液を廃液処理槽外に排出する排出管とからなる廃液処理装置であって、上記廃液処理槽の上記上端開口部には、上記廃液処理槽内の微生物に空気を供給するためのポンプが着脱自在に配設されていることを特徴とする廃液処理装置。
【請求項２】
上端に蓋体を開閉自在に装着しているポンプ配設函体を廃液処理槽の上端開口部に着脱自在に架設してあり、上記ポンプ配設函体内にポンプを配設していることを特徴とする請求項１に記載の廃液処理装置。
【請求項３】
ポンプ配設函体の一側面に固定板片を突設していると共にこの固定板片に取付板片を伸縮自在に連結してあり、この取付板片の先端部とポンプ配設函体の他側面とを廃液処理槽の上端開口部における相対する側端部上に架設状態に配設していることを特徴とする請求項１又は請求項２に記載の廃液処理装置。
【発明の詳細な説明】
【０００１】
【発明の属する技術分野】
本発明は、飲食店の厨房などで発生した廃液を浄化するための廃液処理装置に関する。
【０００２】
【従来の技術】
従来から飲食店の厨房からは油分を含有する廃液が発生することから、この廃液中の油分を除去して浄化処理した上で下水道に排出するようにしている。このような廃液の処理装置としては、特許文献１に、上端開口部を有する阻集器本体部内を２枚の仕切り壁によって下方が互いに連通した状態に区画し、この阻集器本体内に供給された油分を水との比重差を利用して分離、回収するように構成した廃液処理装置が提供されている。
【０００３】
しかしながら、上記廃液処理装置は、阻集器本体内において廃液中の油分を油分と水との比重差によって分離しているにすぎないことから、阻集器本体内の廃液に雑菌が繁殖して不衛生であるといった問題点があった。
【０００４】
そこで、阻集器本体内に微生物を着床させた部材を浸漬させ、この微生物によって廃液中の油分を分解させることが行われているが、この微生物の繁殖を維持するために阻集器本体内の廃液中に空気を送り込む必要があり、この廃液中に空気を送り込むポンプは、通常、阻集器本体外に配設されていることから装置自体が大型化してしまうといった問題点があった。
【０００５】
【特許文献１】
特開平９−９４４１２号公報
【０００６】
【発明が解決しようとする課題】
本発明は、廃液処理槽内の廃液の浄化処理を効果的に行うことができると共に省スペース化を図った廃液処理装置を提供する。
【０００７】
【課題を解決するための手段】
請求項１に記載の廃液処理装置は、上端が開口している廃液処理槽と、この廃液処理槽に廃液を供給する供給管と、上記廃液処理槽内で微生物の存在下にて浄化処理された処理液を廃液処理槽外に排出する排出管とからなる廃液処理装置であって、上記廃液処理槽の上記上端開口部には、上記廃液処理槽内の微生物に空気を供給するためのポンプが着脱自在に配設されていることを特徴とする。
【０００８】
又、請求項２に記載の廃液処理装置は、請求項１に記載の廃液処理装置において、上端に蓋体を開閉自在に装着しているポンプ配設函体を廃液処理槽の上端開口部に着脱自在に架設してあり、上記ポンプ配設函体内にポンプを配設していることを特徴とする。
【０００９】
そして、請求項３に記載の廃液処理装置は、請求項１又は請求項２に記載の廃液処理装置において、ポンプ配設函体の一側面に固定板片を突設していると共にこの固定板片に取付板片を伸縮自在に連結してあり、この取付板片の先端部とポンプ配設函体の他側面とを廃液処理槽の上端開口部における相対する側端部上に架設状態に配設していることを特徴とする。
【００１０】
【作用】
本発明の廃液処理装置は、その廃液処理槽の上端開口部に該廃液処理槽内の微生物に空気を供給するためのポンプを着脱自在に配設していることから、省スペース化を図ることができると共に、ポンプによって廃液処理槽内の微生物に円滑に空気を供給して微生物の繁殖を促進或いは維持することができ、廃液中の油分などを分解して廃液の浄化処理を効果的に行うことができる。
【００１１】
そして、上述のように、上記ポンプは、廃液処理槽の上端開口部に着脱自在に配設していることから、廃液処理槽内の保守点検を行うにあたっては、上記ポンプを廃液処理槽の上端開口部から簡単に且つ確実に除去して廃液処理槽内の保守点検作業を支障なく行うことができる。
【００１２】
【発明の実施の形態】
本発明の廃液処理装置の一例を図面を参照しつつ説明する。廃液処理装置Ａの廃液処理槽１は、図１乃至図３に示したように、平面矩形状の底面部１１とこの底面部１１の四方外周縁から上方に突設された四角筒状の周壁部１２とからなり、上端が全面的に開口した有底四角筒状に形成されている。
【００１３】
そして、上記廃液処理槽１内は、その前後方向に所定間隔を存して仕切り壁１３ａ  、１３ｂ  が配設されており、廃液処理槽１内は、仕切り壁１３ａ  、１３ｂ  によって前後方向に３個の区画室１４ａ  、１４ｂ  、１４ｃ  に区画、分割されている。なお、上記仕切壁１３ａ  〜１３ｃ  の下端縁は上記廃液処理槽１の底面部１１内面には達しておらず、上記区画室１４ａ  〜１４ｃ  は、その下端部において互いに連通した状態となっている。
【００１４】
更に、上記廃液処理槽１の区画室１４ａ  の上端開口部内には、網状体から形成されたストレーナ１５が着脱自在に配設されており、廃液Ｗ中に混入した生ゴミなどのゴミを捕集、除去した上で、廃液Ｗを廃液処理槽１内に供給するようにしている。
【００１５】
又、上記廃液処理槽１の区画室１４ａ  側には、廃液Ｗを廃液処理槽１内に供給するための供給管２が配設されており、供給管２内を流通してきた廃液Ｗは上記廃液処理槽１の区画室１４ａ  の上端開口部内に配設されたストレーナ１５内に供給されるように構成されている一方、上記廃液処理槽１内で浄化処理された処理液を廃液処理槽１外に排出するための排出管３がその開口端部を廃液処理槽１の区画室１４ｃ  内に臨ませた状態で配設されている。
【００１６】
そして、図２及び図３に示したように、上記廃液処理槽１の上端開口部１６には、上端に蓋体４４を開閉自在に装着しているポンプ配設函体４が着脱自在に架設してあり、このポンプ配設函体４内に上記廃液処理槽１の廃液Ｗ中の微生物に空気を供給するためのポンプＰを配設している。
【００１７】
上記ポンプ配設函体４は、図２乃至図５に示したように、平面矩形状の底面部４１とこの底面部４１の四方外周縁から上方に向かって突設された一定高さの矩形枠状の周壁部４２とからなり、その上端開口部４３は全面的に開口していると共に下半部或いは全体が廃液処理槽１の上端開口部１６内に挿入、配設し得る大きさに形成されている。
【００１８】
そして、上記ポンプ配設函体４における底面部４１及び周壁部４２で囲まれた部分を上記ポンプＰが配設可能なポンプ配設空間部４ａに形成している。更に、このポンプ配設空間部４ａの上端開口部４３には、この上端開口部４３を全面的に開閉自在に閉止可能し、廃液或いは廃液を浄化処理する過程で発生する泡がポンプ配設空間部４ａ内に進入しないようにするための蓋体４４が配設されている。
【００１９】
なお、この蓋体４４は、ポンプ配設空間部４ａの上端開口部の外形に合致した形状で且つ僅かに大きな大きさを有する平面矩形状の天板部４４ａ  とこの天板部４４ａ  の四方周縁から下方に向かって突設された矩形枠部４４ｂ  とからなる。又、上記蓋体４４は、所定箇所にて螺子４４ｃ  によってポンプ配設空間部４ａの上端開口部に着脱自在に一体化されている。
【００２０】
又、図４及び図５に示したように、上記ポンプ配設函体４の周壁部４２における一側外面の上下方向の中央部には、ポンプ配設函体４の周壁部４２の前後幅に合致した前後幅である平面矩形状の一定厚みを有する水平状の固定板片４５が一側方に向かって突設されており、この固定板片４５の前後端縁の夫々にはその全長に亘って垂直下方に向かってガイド板部４５ａ  、４５ａ  が突設されている。
【００２１】
そして、上記固定板片４５の下面には、該固定板片４５の前後方向の幅に合致した前後幅を有する平面矩形状の取付板片４６がその上面を固定板片４５の下面に摺接させた状態で両側方向に伸縮自在（出没自在）に連結されている。
【００２２】
更に、上記取付板片４６の前後端部の夫々にはその全長に亘って垂直下方に向かってガイド板部４６ａ  、４６ａ  が突設されており、この取付板片４６のガイド板部４６ａ、４６ａ  の外面が固定板片４５のガイド板部４５ａ  、４５ａ  の内面に摺接することによって取付板片４６が固定板片４５に対して両側方向に円滑に伸縮（出没）できるように構成されている。
【００２３】
又、上記取付板片４６の先端縁（一端縁）にはその前後方向の全長に亘って、この取付板片４６の前後幅に合致した前後幅を有し且つ正面Ｌ字状の板状体を固定板片４５の先端縁に固着させることによって、一定幅の水平係止部４６ｂ  とこの水平係止部４６ｂ  の他側端縁から垂直下方に延設された一定高さの垂直受止部４６ｃ  とが一体的に設けられている。
【００２４】
なお、水平係止部４６ｂ  の上面と取付板片４６の上面とは面一になるように形成されている。又、取付板片４６の一端部には、後述する送気管５の上端部を挿通させるための送気管挿通孔４６ｄ  が上下面間に亘って貫通した状態に貫設されている。
【００２５】
加えて、上記取付板片４６の他端部には前後方向に所定間隔を存して一対の貫通孔４６ｅ  、４６ｅ  が上下面間に亘って貫通した状態に貫設されている一方、上記固定板片４５には、この固定板片４５に対して取付板片４６を両側方向に伸縮（出没）させた際における該取付板片４６の貫通孔４６ｅ  、４６ｅ  の移動領域に対応させた部分に両側方向に長い長孔４５ｂ  、４５ｂ  が上下面間に亘って貫通した状態に貫設されている。なお、取付板片４６の貫通孔４６ｅ  、４６ｅ  の下端開口端面にはナット体４６ｆ  、４６ｆがその螺子孔を貫通孔４６ｅ  、４６ｅ  の下端開口部に臨ませた状態に固着されている。
【００２６】
そして、上記固定板片４５の下面に上記取付板片４６を所望長さだけ重ね合わせた上で、上記固定板片４５の長孔４５ｂ  、４５ｂ  及び上記取付板片４６の貫通孔４６ｅ  、４６ｅを通じて上記取付板片４６のナット体４６ｆ  、４６ｆ  に上方からボルト体４７、４７を進退自在に螺合させ、ボルト体４７、４７の拡大頭部４７ａ  、４７ａ  とナット体４６ｆ  、４６ｆ  とによって固定板片４５及び取付板片４６を一体的に挟持することにより、取付板片４６を固定板片４５から所望長さだけ突出した状態に固定させることができるように構成されている。
【００２７】
一方、上記ポンプ配設函体４の周壁部４２における他側外面の上下方向の中央部には、ポンプ配設函体４の周壁部４２の前後幅に合致した前後幅である平面矩形状の一定厚みを有する水平係止板部４８が他側方に向かって突設されている。なお、この水平係止板部４８の下面と取付板片４６の水平係止部４６ｂ  の下面とは同一高さ位置となるように形成されている。
【００２８】
そして、上記ポンプ配設函体４の取付板片４６の水平係止部４６ｂ  と係止板部４８とを廃液処理槽１の上端開口部１６における相対する側端部上に係脱自在に係止させることによって、ポンプ配設函体４を廃液処理槽１の上端開口部に着脱自在に架設することができるように構成されている。
【００２９】
このように構成されたポンプ配設函体４のポンプ配設空間部４ａ内にはポンプＰが配設されており、このポンプＰに基端部が接続された給気管Ｐ１を固定板片４５の上方においてポンプ配設函体４の周壁部４２の一側部に内外方向に貫設された管挿通孔４２ａ  を通じて水密的に引き出している。なお、ポンプＰを駆動させるための電力をポンプＰに供給するためのコード（図示せず）をポンプ配設函体４の周壁部４２に水密的に貫通させてポンプ配設空間部４ａ内から引き出している。
【００３０】
又、廃液処理槽１の区画室１４ｂ  内の一側側部分には、廃液処理槽１内の廃液Ｗ中に空気を供給するための送気管５がその上端部を廃液Ｗの水面よりも上方に突出させた状態で垂直に起立した状態に配設され、この送気管５の下端は二つに分岐５１、５２されている。
【００３１】
そして、一方の分岐管５１は廃液処理槽１の区画室１４ａ  の内底面上に沿って配設されていると共に他方の分岐管５２は廃液処理槽１の区画室１４ｂ  の内底面上に沿って配設され、分岐管５１、５２に内外面間に亘って貫設された多数の通気孔５１ａ  、５２ａ  から分岐管５１、５２内の空気を廃液処理槽１の区画室１４ａ  、１４ｂ  の夫々に供給するように構成されている。
【００３２】
次に、上記廃液処理装置Ａの使用要領について説明する。先ず、上記ポンプ配設函体４のボルト体４７、４７をナット体４６ｆ  、４６ｆ  に対して螺退させて取付板片４６を固定板片４５に対して伸縮（出没）自在な状態とする。
【００３３】
そして、取付板片４６を固定板片４５に対して両側方向に出没させることによって、ポンプ配設函体４における取付板片４６の垂直受止部４６ｃ  と周壁部４２の他側外面との間の距離が、廃液処理槽１の周壁部１２の両側部内面間の距離に合致し或いは僅かに短い状態となるように調整した後、上記ボルト体４７、４７をナット体４６ｆ  、４６ｆ  に対して螺進させることによって取付板片４６と固定板片４５とを一体化させる。
【００３４】
しかる後、ポンプ配設函体４における取付板片４６の水平係止部４６ｂ  を廃液処理槽１の区画室１４ｂ  の上端開口部における一側端部上に、水平係止板部４８を廃液処理槽１の区画室１４ｂ  の上端開口部における他側端部上に係脱自在に係止させることによって、ポンプ配設函体４を廃液処理槽１の区画室１４ｂ  の上端開口部における相対する側端部上に着脱自在に配設する。なお、この状態では、ポンプ配設函体４はその下半部がポンプ配設函体４の区画室１４ｂ  の上端開口部内に挿入された状態となっている。このように、上記ポンプ配設函体４は、取付板片４６を固定板片４５に対して伸縮（出没）させることによって、種々の寸法を有する廃液処理槽１の上端開口部に対応させて安定的に架設状態に配設することができる。
【００３５】
これと同時に、ポンプ配設函体４の廃液処理槽１の区画室１４ｂ  内に配設している送気管５の上端部をポンプ配設函体４の取付板片４６の送気管挿通孔４６ｄ  内に下方から上方に向かって挿脱自在に挿通させ、送気管５の上端部をポンプ配設函体４の取付板片４６の上面から突出させた状態とし、しかる後、ポンプ配設函体４内に配設されたポンプＰに接続された給気管Ｐ１の先端部を送気管５の上端開口部に分離可能に連結、連通させる。
【００３６】
このように、上記廃液処理装置Ａは、その廃液処理槽１内に空気を供給するポンプＰを廃液処理槽１上に着脱自在に配設していることから、ポンプＰを配設する場所を別途、設ける必要はなく省スペース化を図ることができると共に、ポンプＰと廃液処理槽１内に配設した送気管５とを接続する給気管Ｐ１の長さを短くして取り扱い性を向上させている。
【００３７】
次に、レストランなどの厨房で発生した油分や調理くず等を含んだ廃液Ｗを供給管２を通じて廃液処理槽１内にその区画室１４ａ  のストレーナ１５で廃液Ｗ中に含まれた調理くずなどを除去した上で供給する。
【００３８】
すると、廃液処理槽１の区画室１４ａ  〜１４ｃ  内に供給された廃液Ｗは、区画室１４ａ  〜１４ｃ  を区画している仕切り壁１３ａ  、１３ｂ  の下方空間部を通じて区画室１４ａ  から区画室１４ｃ  に向かって順次、移動していく。
【００３９】
この過程で廃液Ｗ中の油分は、水との比重差から廃液Ｗ表面に浮遊した状態となって区画室１４ａ  、１４ｂ  内において廃液Ｗの液面に浮遊、分離された状態となる。
【００４０】
一方、廃液処理槽１内の廃液Ｗ中には微生物が供給されていると共に、廃液処理槽１の区画室１４ｂ  の上端開口部に着脱自在に架設されたポンプ配設函体４のポンプ配設空間部４ａ内のポンプＰを駆動させ、このポンプＰから供給された空気を給気管Ｐ１及び送気管５を通じて分岐管５１、５２の通気孔５１ａ  、５２ａ  より廃液処理槽１の区画室１４ａ  、１４ｂ  内の内底面上に噴き出させて、廃液Ｗ中に存在する微生物に空気を与えて微生物の活動を維持或いは活発化させ、廃液Ｗの液面に浮遊、分離された油分及び廃液Ｗ中の汚濁物を円滑に分解、除去する。
【００４１】
なお、廃液処理槽１内の廃液Ｗ中の微生物は、廃液処理槽１内に注ぎ込む前に廃液Ｗ中に供給されても或いは廃液処理槽１内に直接、供給されてもよいが、廃液処理槽１内に注ぎ込む前に廃液Ｗ中に供給すると、供給管２内壁面に付着した汚濁物などを微生物によって分解、除去することができるので好ましい。
【００４２】
この時、廃液処理槽１内に廃液Ｗに泡などが発生することがあるが、ポンプ配設函体４のポンプ配設空間部４ａは蓋体４４によって開閉自在に水密的に閉止されていると共に、ポンプＰに接続している給気管Ｐ１及びポンプＰに電力を供給するためのコードはポンプ配設空間部４ａ内から水密的に取り出されていることから、ポンプ配設函体４内に不測に水分が進入してポンプＰが故障するといったことはない。
【００４３】
そして、廃液処理槽１の区画室１４ａ  、１４ｂ  にて油分が略或いは一定割合だけ除去されて浄化処理が施された処理液は、廃液処理槽１の区画室１４ｃ  内に配設した排出管３から廃液処理槽１外に排出される。
【００４４】
又、廃液処理槽１内の保守点検を行う際、ポンプ配設函体４は、廃液処理槽１の区画室１４ｂ  の上端開口部に着脱自在に架設されていると共に、廃液処理槽１内に配設された送気管５の上端部とポンプＰに接続した吸気管Ｐ１とは分離可能に接続されていることから、送気管５と給気管Ｐ１とを分離し、ポンプ配設函体４の取付板片４６の送気管挿通孔４６ｄ  から送気管５を下方に抜き取ることによって、ポンプ配設函体４をポンプＰ及びこれに接続させた給気管Ｐ１と共に廃液処理槽１の上端開口部から一度に完全に除去することができ、廃液処理槽１の保守点検を支障なく行うことができる。
【００４５】
【発明の効果】
請求項１に記載の廃液処理装置は、上端が開口している廃液処理槽と、この廃液処理槽に廃液を供給する供給管と、上記廃液処理槽内で微生物の存在下にて浄化処理された処理液を廃液処理槽外に排出する排出管とからなる廃液処理装置であって、上記廃液処理槽の上記上端開口部には、上記廃液処理槽内の微生物に空気を供給するためのポンプが着脱自在に配設されていることを特徴とするので、ポンプの配設スペースを別途、設ける必要はなく廃液処理装置の省スペース化を図ることができると共に、廃液処理槽の保守点検時にはポンプを廃液処理槽の上端開口部から除去して廃液処理槽の保守点検を円滑に行うことができる。
【００４６】
又、請求項２に記載の廃液処理装置は、請求項１に記載の廃液処理装置において、上端に蓋体を開閉自在に装着しているポンプ配設函体を廃液処理槽の上端開口部に着脱自在に架設してあり、上記ポンプ配設函体内にポンプを配設していることを特徴とするので、ポンプ配設函体内に配設したポンプに水がかかることによってポンプが故障するといったことはなく安定的にポンプによって廃液中に空気を送り込むことができると共に、ポンプ配設函体を廃液処理槽の上端開口部から除去するだけでポンプも一緒に廃液処理槽の上端開口部から完全に除去することができ、廃液処理槽の保守点検を容易に行うことができる。
【００４７】
更に、請求項３に記載の廃液処理装置は、請求項１又は請求項２に記載の廃液処理装置において、ポンプ配設函体の一側面に固定板片を突設していると共にこの固定板片に取付板片を伸縮自在に連結してあり、この取付板片の先端部とポンプ配設函体の他側面とを廃液処理槽の上端開口部における相対する側端部上に架設状態に配設していることを特徴とするので、ポンプ配設函体の取付板片を固定板片に対して伸縮させることによって、種々の上端開口寸法を有する廃液処理槽の上端開口部にポンプ配設函体を円滑に且つ確実に着脱自在に配設することができる。
【図面の簡単な説明】
【図１】本発明の廃液処理装置を示した縦断面図である。
【図２】本発明の廃液処理装置を示した縦断面図である。
【図３】本発明の廃液処理装置を示した斜視図である。
【図４】ポンプ配設函体を示した分解斜視図である。
【図５】ポンプ配設函体を示した斜視図である。
【符号の説明】
１  廃液処理槽
１３ａ  、１３ｂ    仕切り壁
１４ａ  〜１４ｃ    区画室
１５  ストレーナ
２  供給管
３  排出管
４  ポンプ配設函体
４４  蓋体
４５  固定板片
４６  取付板片
５  送気管
Ａ  廃液処理装置
Ｐ  ポンプ
【図１】
2004358413.tif 000003
【図２】
2004358413.tif 000004
【図３】
2004358413.tif 000005
【図４】
2004358413.tif 000006
【図５】
2004358413.tif 000007